(57)【特許請求の範囲】
【請求項１】
血糖検査のための交換可能な分析テープ・カセット（１４）を有する検査テープ用デバイスであって、
ａ）カセット蓋体（２２）により覆われたカセット区画室（２０）と、前記分析テープ・カセット（１４）の検査テープ（１８）上へのサンプル付与のためのハウジング開口（２４）とを有するハウジング（１２）と、
ｂ）前記ハウジング開口（２４）を覆う閉じ位置と、前記ハウジング開口（２４）に対するアクセスを可能にする解放位置との間で移動可能な保護カバー（２６）と、
ｃ）前記カセット蓋体（２２）を前記閉じ位置に保持する蓋体固定部材（２８）と、を具備し、
ｄ）前記保護カバー（２６）が連結機構（５６）を介して前記蓋体固定部材（２８）に対して連結されることから、前記蓋体固定部材（２８）が、該保護カバー（２６）の閉じ位置においては阻止され且つ該カバー（２６）の解放位置においては阻止解除され、
ｅ）前記カセット蓋体（２２）が、付勢された蓋体用スプリング（４６）により開き位置まで移動可能である検査テープ用デバイス。
【請求項２】
前記連結機構（５６）が、前記保護カバー（２６）の移動によって旋回軸線（６０）の回りにおいて旋回可能に旋回取付けされた固定部材用捕捉部（５８）を有する請求項１に記載の検査テープ用デバイス。
【請求項３】
二本アーム式の前記固定部材用捕捉部（５８）が、前記保護カバー（２６）の移動経路内に係合する起動アーム（６２）と、束縛位置において前記蓋体固定部材（２８）を束縛する束縛用アーム（６４）とを有する請求項２に記載の検査テープ用デバイス。
【請求項４】
前記連結機構（５６）が、前記保護カバー（２６）の前記閉じ位置において自動的に前記蓋体固定部材（２８）を阻止すべく構成される請求項１乃至３のいずれか一項に記載の検査テープ用デバイス。
【請求項５】
前記連結機構（５６）が、戻しスプリング（７２）により停止部（７０）に抗して付勢される請求項１乃至４のいずれか一項に記載の検査テープ用デバイス。
【請求項６】
前記蓋体固定部材（２８）が手動操作のためのスライダ（３８）を有し、且つ、該スライダ（３８）が、閉じ状態の前記カセット蓋体（２２）に対して掛止可能なフック部材（４２）を備えている請求項１乃至５のいずれか一項に記載の検査テープ用デバイス。
【請求項７】
前記カセット蓋体（２２）が、蓋体ヒンジ（４８）上に配置される請求項１乃至６のいずれか一項に記載の検査テープ用デバイス。
【請求項８】
前記保護カバー（２６）が、前記ハウジング（１２）の摺動軌道（３４）内に移動可能に支持された摺動部材（３６）を有する請求項１乃至７のいずれか一項に記載の検査テープ用デバイス。
【請求項９】
前記摺動部材（３６）が、前記保護カバー（２６）を前記解放位置へと移動させるときに前記連結機構（５６）を解除する押圧要素（７４）を担持する請求項８記載の検査テープ用デバイス。
【請求項１０】
前記摺動部材（３６）が、前記保護カバー（２６）の閉じ位置及び解放位置の夫々において位置表示スイッチ（７８、８２）を直接的に起動する接触要素（７６）を担持する請求項９に記載の検査テープ用デバイス。
【請求項１１】
前記押圧要素（７４）及び前記接触要素（７６）を、前記摺動部材（３６）の側面部にて突出する交差部材が同時に形成する請求項１０に記載の検査テープ用デバイス。
【請求項１２】
前記保護カバー（２６）が前記閉じ位置及び前記解放位置において、停止接続構造（８４）により着脱可能に固定される請求項１乃至１１のいずれか一項に記載の検査テープ用デバイス。
【請求項１３】
前記保護カバー（２６）が前記閉じ位置及び前記解放位置において、停止接続構造（８４）により着脱可能に固定され、
前記停止接続構造（８４）が、前記摺動軌道（３４）に隣接するハウジング壁部（８６）内に取付けられたリーフ・スプリングであって、そのスプリング端部（８８、９０）により前記摺動部材（３６）の捕捉要素（９０）に係合するリーフ・スプリングを有する請求項８記載の検査テープ用デバイス。
【請求項１４】
前記テープ・カセット（１４）が、体液の付与のためのカセット先端部（５２）を有し、
前記カセット蓋体（２２）が前記ハウジング（１２）の開口の境界を形成し、且つ、
前記閉じ位置にあるシェル形式の前記保護カバー（２６）が、全ての側にて前記カセット先端部（５２）を囲繞する請求項１乃至１３のいずれか一項に記載の検査テープ用デバイス。
【請求項１５】
前記保護カバー（２６）が前記解放位置にあり且つ前記カセット蓋体（２２）が開かれているときに、前記テープ・カセット（１４）が、衝突なしで前記カセット区画室（２０）から交換可能である請求項１乃至１４のいずれか一項に記載の検査テープ用デバイス。
【発明の詳細な説明】
【技術分野】
【０００１】
本発明は、特に血糖検査のための交換可能な分析テープ・カセットを使用すると共に、それを含む検査テープ用デバイスに関する。
【背景技術】
【０００２】
斯かるデバイスは実際問題として、糖尿病患者の自己診断のための血糖計測器として使用される。テープ・カセット内の巻回可能な検査テープ上には、複数の検査用領域が配備される。反応性である各検査用領域は、少量の血液サンプルの付与の後、可及的に厳密に且つ確実にグルコース含有量を決定するために、測光的に吟味される。斯かるテープ・カセットは、必要な分析段階が自動的に且つ迅速に実施されることを許容するために、小型の携帯用デバイスのハウジング内へと、使い捨て可能な部材として挿入されることが意図される。
【発明の概要】
【発明が解決しようとする課題】
【０００３】
以上に基づき、本発明の目的は、公知の検査システムを更に向上させること、及び、特に大量生産に適した、高信頼性で簡素であると共に容易に作製し得る低コストの設計態様を達成することである。
【課題を解決するための手段】
【０００４】
この目的を達成するために、請求項１に述べられた特徴の組み合わせが提案される。本発明の好適実施形態、及び、更なる発展例は、従属請求項から導かれる。
【０００５】
本発明は、簡素な手段により消耗品の安全な取扱い及び交換を確実にするという着想に基づいている。故に、本発明に依れば、カセット蓋体により覆われたカセット区画室と、テープ・カセットの検査テープ上へのサンプル付与のためのハウジング開口とを有するハウジングと、
上記ハウジング開口を覆う閉じ位置と、上記ハウジング開口に対するアクセスを可能にする解放位置との間で移動され得る保護カバーと、
上記カセット蓋体を上記閉じ位置に保持する移動可能な蓋体固定部材と、を備えて成り、
上記保護カバーは、上記蓋体固定部材が該保護カバーの閉じ位置においては阻止され且つ該カバーの解放位置においては阻止解除されるように、連結機構を介して上記蓋体固定部材に対して連結される、ということが提案される。
【０００６】
上記テープ・カセットは上記ハウジング開口を通してアクセスされ得るが、その場合に上記保護カバーは、不使用状態における破損又は汚染に対する保護のために配備される。同時に、上記テープ・カセットの交換は、構造的部分との干渉による可能的な破損を回避するために、上記連結機構により安全とされる。上記保護カバーの閉じ位置において、上記連結機構は上記蓋体固定部材に係合し、それを移動不能に阻止する。上記カバーの上記解放位置においてのみ、上記連結機構は、上記蓋体固定部材が移動可能であり且つ阻止解除され得るように、上記蓋体固定部材から離脱する。これにより、上記カセット蓋体は、ユーザがテープ・カセットを容易に取り出し且つ挿入し得るように、上記カバーの解放位置においてのみ開かれ得る。詳細には、上記カバーの上記解放位置及び上記カセット蓋体の上記開き位置において、上記ハウジング開口及び上記カセット区画室開口は、テープ・カセットの簡素な交換のための組み合わせ開孔を形成する。斯かるデバイスは、不安定な健康状態にある患者自身により取扱われ得ることを銘記すべきである。
【０００７】
好適実施形態において、上記連結機構は、上記保護カバーの移動により旋回軸線の回りにおいて旋回され得るべく旋回取付けされた固定部材用捕捉部を有する。これにより、上記保護カバーの操作に関して機械的に簡素であり確実な掛止機能が許容される。これに関連して、上記二本アーム式の固定部材用捕捉部は、上記保護カバーの移動経路内に係合する起動アームと、阻止位置において上記蓋体固定部材を阻止する阻止用アームとを有することが好適である。
【０００８】
別の好適実施形態は、上記連結機構は、上記保護カバーの上記閉じ位置において自動的に上記蓋体固定部材を阻止すべく構成される、ということを実現する。これは、上記連結機構が戻しスプリングにより停止部に抗して付勢されるときに、特に好適に製造され得る。
【０００９】
上記蓋体固定部材が手動操作のためのスライダを有し、且つ、該スライダは、閉じ状態にある上記カセット蓋体に対して掛止され得るフック部材を備えているとき、製造及び作業の更なる簡素化が達成され得る。
【００１０】
上記操作を更に容易とするために、上記カセット蓋体は、阻止解除された蓋体固定部材の起動時に、好適には蓋体ヒンジ上に配置されて付勢された蓋体用スプリングにより開き位置まで移動され得ることが好適である。
【００１１】
上記テープ・カセットの突出先端部を遮蔽するために、上記保護カバーが、上記ハウジングの好適には円弧状の摺動軌道内に移動可能に支持された摺動部材を有することが特に好適である。
【００１２】
上記開口が覆われているか否かを検出する簡素な構造を提供するために、上記摺動部材は、上記保護カバーの閉じ位置及び解放位置の各々において位置表示スイッチを直接的に起動する接触要素を担持し得る。
【００１３】
上記摺動部材が、上記保護カバーを上記解放位置へと移動させるときに上記連結機構を解除する押圧要素を担持するならば、更なる改善が達成され得る。
【００１４】
好適実施形態においては、上記接触要素及び起動要素を、上記摺動部材の側面部にて突出する交差部材が同時に形成する。
【００１５】
取扱いにおける別の改善点は、上記保護カバーは上記閉じ位置及び解放位置において、停止接続構造により着脱可能に固定される、という事実に起因する。好適には、上記停止接続構造は、上記摺動軌道に隣接するハウジング壁部内に取付けられたリーフ・スプリングであって、そのスプリング端部により上記摺動部材の捕捉要素に係合するリーフ・スプリングを備えて成る。
【００１６】
本発明の好適な見地は、上記テープ・カセットは、体液の付与のためのカセット先端部を有し、且つ、上記カセット蓋体は上記ハウジングの開口の境界を形成することである。好適には、上記閉じ位置にある上記シェル形式の保護カバーは、全ての側にて上記カセット先端部を囲繞する。上記保護カバーが上記解放位置にあり且つ上記カセット蓋体が開かれているときに、上記テープ・カセットは衝突なしで上記カセット区画室から交換され得る。この状態においては、上記ハウジング開口及び上記カセット区画室開口により、組み合わせハウジング開孔が形成される。
【００１７】
以下において本発明は、図面中に概略的に示された実施形態に基づき更に説明される。
【図面の簡単な説明】
【００１８】
【図１】カセット区画室及び保護カバーの両方の閉じ位置において穿刺補助具が取付けられたテープ・カセット型のグルコース計測器の後面図である。
【図２】カセット蓋体が開かれ且つ保護カバーが開かれた図１のグルコース計測器の部分的拡大斜視図である。
【図３】図１のグルコース計測器の部分的拡大破断側面図である。
【図４】図１のグルコース計測器の部分的破断平面図である。
【発明を実施するための形態】
【００１９】
各図は、血糖の自己監視のための携帯用グルコース計測器１０として構成された検査テープ用デバイスであって、使い捨て可能な分析テープ・カセット１４を挿入するためのハウジング１２を備えて成る検査テープ用デバイスを示している。患者自身により皮膚を穿刺すべく、且つ、テープ・カセット１４内に収容された検査テープ１８に対してその後に付与され得る血液サンプルを採取すべく、ハウジング１２に対しては穿刺補助具１６が取付けられる。
【００２０】
図１は、カセット区画室２０がカセット蓋体２２により覆われ且つサンプル付与のためのハウジング開口２４が保護カバー２６により覆われたグルコース計測器１０を、後側から示している。閉じ位置におけるカセット蓋体２２を保持すべく構成された蓋体固定部材２８は、蓋体用ボタン３０により手動的に解除可能である。保護カバー２６は、上記閉じ位置と、ハウジング開口２４に対するアクセスを可能にする解放位置との間で移動され得る。
【００２１】
図２は、カセット蓋体２２が開かれると共に保護カバー２６が解放位置へと移動されたデバイス１０の内部構造を示している。ハウジング１２の側壁３２は、カバー２６に対して接続された摺動部材３６が移動可能に支持される円弧状の摺動軌道３４を明示すべく、部分的に破断して示される。上記開き状態において、カセット区画室２０の覆われていない開口、及び、ハウジング開口２４は、上記テープ・カセットを制限なく交換するための組み合わせ開孔を形成する。
【００２２】
図２が更に明示するように、蓋体固定部材２８は、上記蓋体用ボタンに対して接続されたスライダ３８であって、繋止解除状態と繋止状態との間で直線状案内部４０内を摺動可能であるスライダ３８を有する。スライダ３８は、カセット蓋体２２の内側部上の捕捉用プレート４４に対して掛止され得る複数のフック部材４２を備えている。スライダ３８の繋止解除状態において、カセット蓋体２２は、蓋体ヒンジ４８に配置された付勢済みの蓋体用スプリング４６により、開き位置へと付勢される。
【００２３】
テープ・カセット１４は、体液（血液）が検査テープ１８上の反応性の検査用領域に対して付与され得るように、該テープの各区画をカセット先端部５２上に前送りする２つのスプール５０を備えて成る。先端部５２は、ハウジング開口２４を貫通して突出することで、サンプル付与を促進する。上記閉じ位置において、カセット蓋体２２はハウジング開口２４の境界５４を形成し、且つ、シェル形式の保護カバー２６は全ての側にてカセット先端部５２を囲繞する（図１を参照）。故に、テープ・カセット１４は、図２において明確に認識され得るように、カセット蓋体２２が開かれると共に、それと同時に保護カバー２６が上記解放位置にあるときにのみ、カセット区画室２０から交換され得る。
【００２４】
図３及び図４に示されたように、ユーザがテープ・カセット１４を計測器１０内へと挿入し、且つ、それを衝突なしで好適に該計測器から取り出すことを可能にするために、保護カバー２６は、連結機構５６により蓋体固定部材２８に対して結合される。これにより、蓋体固定部材２８は、保護カバー２６の閉じ位置においては阻止されると共に、カバー２６の解放位置においてのみ阻止解除され得る。
【００２５】
この目的のために、連結機構５６は、旋回軸線６０上に支持されて旋回取付けされた固定部材用捕捉部５８であって、保護カバー２６を上記解放位置へと移動させることにより起動され得る固定部材用捕捉部５８を有している。固定部材用捕捉部５８は、摺動部材３６の移動経路内に係合する起動アーム６２と、蓋体固定部材２８を阻止位置に阻止する阻止用アーム６４とを備えて成る。この目的のために、阻止用アーム６４は、その端部に、スライダ２８の突出部６８の背後に係合すべく作用し得る掛止部分６６を有している。
【００２６】
図３に示されたように、保護カバー２６が閉じ位置にあるとき、起動アーム６２は、旋回軸線６０の回りに巻回された螺旋状戻しスプリング７２により、停止部７０に当接して付勢されることから、蓋体固定部材２８は、掛止部分６６及び突出部６８の形状化閉じ機構（ｆｏｒｍ  ｃｌｏｓｕｒｅ）により自動的に阻止される。
【００２７】
図４から最適に理解され得るように、保護カバー２６の摺動部材３６は、その側面上に付属部分７４を担持している。摺動部材３６が、付属部分７４が起動アーム６２を押圧するまで摺動軌道３４上を摺動したとき、該付属部分は、蓋体２２を開くために蓋体用ボタン３０がスプリング７６に抗して移動され得るように、固定部材用捕捉部５８をスライダ３８との係合から外れた位置まで回転させる。
【００２８】
付属部分７４の自由端部は、保護カバー２６の終端位置を検出するための接触要素７６としての付加的機能を提供する。詳細には、接触要素７６は、上記カバーが解放位置にあるときに、上記計測器の回路盤８０上のスイッチ７８と直接的に接触する。同様に、接触要素７６は、カバー２６が軌道３４を戻り摺動してハウジング開口２４を覆ったとき、スイッチ８２を直接的に操作する。
【００２９】
カバー２６の緩み状態を回避するために、閉じ位置及び解放位置においては、停止接続構造が作用する。図３に示されたように、該停止接続構造は、摺動軌道３４に隣接するハウジング壁部８６の凹所内に取付けられたリーフ・スプリング８４として配備される。該リーフ・スプリング８４は、摺動部材３６の後側部に突出する捕捉要素９０であって、図３において仮想線で描かれた捕捉要素９０に係合する各湾曲端部８８を有している。この様にして、ユーザは、カバー２６がその各終端位置を取るときに、触覚的なフィードバックを受ける。
【図１】
0005922673.tif 000002
【図２】
0005922673.tif 000003
【図３】
0005922673.tif 000004
【図４】
0005922673.tif 000005